(57)【要約】　　　（修正有）【課題】浸透水以外の砂礫等が排水溝となるブロックの中空部に入り込むことのないスリット付き側溝用ブロックを安価なコストで提供することを目的とする。【解決手段】切り欠き溝４が設けられた一側面には両端に設けられた切り欠き溝４と連通する浸透水導入溝５が前記一側面に開口を有して形成されると共に、開口６は網目状部材で覆われてなり、スリット付き側溝用ブロック１を突き合わせ、長手方向に向かって接続し敷設した際、地中に浸透した浸透水が網目状部材７を通過して浸透水導入溝５から中空部２内に導入可能とされたことを特徴とする。【選択図】　　図１
0003098640.tif 000002
【実用新案登録請求の範囲】
【請求項１】
略立方体柱状をなし、軸心方向には軸心方向に貫通した中空部が設けられ、該中空部と外部とを連通するスリットが上面部に軸心方向へ向かって直線状に設けられたスリット付き側溝用ブロックであって、
前記スリットは前記上面部の幅方向いずれかの位置に設けられ、
スリット付き側溝用ブロックの長手方向両端面と幅方向一側面上部位置との隅角部近傍位置には、前記幅方向一側面上部位置から隅角部を切り欠いて長手方向両端面に向かい前記中空部に連通する切り欠き溝が各々設けられ、
かつ、前記切り欠き溝が設けられた前記一側面には前記両端に設けられた切り欠き溝と連通する浸透水導入溝が前記一側面に開口を有して形成されると共に、前記開口は網目状部材で覆われてなり、
前記スリット付き側溝用ブロックを突き合わせ、長手方向に向かって接続し敷設した際、地中に浸透した浸透水が前記網目状部材を通過して前記浸透水導入溝から前記中空部内に導入可能とされたことを特徴とするスリット付き側溝用ブロック。
【請求項２】
略立方体柱状をなし、軸心方向には軸心方向に貫通した中空部が設けられ、該中空部と外部とを連通するスリットが上面部に軸心方向へ向かって直線状に設けられたスリット付き側溝用ブロックであって、
前記スリットは前記上面部の幅方向いずれかの位置に設けられ、スリットの長さ方向両端側には前記スリットを塞いで連結する間隔保持部材兼導入溝条が各々設けられ、
該スリット付き側溝用ブロックの長手方向両端面と幅方向一側面上部位置との隅角部近傍位置には、前記幅方向一側面上部位置から隅角部を切り欠いて長手方向両端面に向かい前記中空部に連通する切り欠き溝が各々設けられ、
かつ、前記切り欠き溝が設けられた前記一側面には前記両端に設けられた切り欠き溝と連通する浸透水導入溝が一側面の長手方向全長に亘り開口を有して形成されると共に、前記開口は網目状部材で覆われ、前記一側面に設けられた切り欠き溝と浸透水導入溝との連通部には浸透水合流調整溝として略方形状に切り欠かれて形成され、該浸透水合流調整溝の開口をも網目部材で覆われてなり、
前記スリット付き側溝用ブロックを突き合わせ、長手方向に向かって接続し敷設した際、地中に浸透した浸透水が前記網目状部材を通過し、前記浸透水導入溝から前記中空部内に導入可能とされたことを特徴とするスリット付き側溝用ブロック。
【考案の詳細な説明】
【０００１】
【考案の属する技術分野】
本考案は、例えば、舗装された道路の両脇に敷設されて側溝を形成するスリット付き側溝用ブロックに関するものである。
【従来の技術】
従来、スリット付き側溝用ブロックは、その上面側の外部と側溝用ブロック内部の水路等の機能をはたす中空部とは上面に形成されたスリットにより連通されている。
【０００２】
上面にスリットが設けられた側溝用ブロックは、近年急激に需要が増えており、例えば舗装された車道の両脇に当該スリット付き側溝用ブロックを用いた側溝が形成され、敷設されていることが多々見受けられる。
【０００３】
そして、降雨時においては、車道に流れ込んだ大量の雨水等が当該側溝に設けられたスリットから内部の中空部に流れ込み、その後連通された排水溝に排水される。
【考案が解決しようとする課題】
しかしながら、前記従来のスリット付き側溝用ブロックでは、スリットを挟んで対向する側溝用ブロック上壁端部同士が衝突することによるスリットの欠け防止をはかること及びスリットの内側方向に荷重がかかることにより底壁側にひびあるいは亀裂が入るのを防止するため、全体に側溝を厚肉として構成してあり、そのため製造コストが高くなってしまうとの懸念があり、さらには重量が重いために運搬や敷設作業が困難となっていた。
【０００４】
そこで、従来のスリット付き側溝用ブロックにおいては、前記スリット内に合成ゴムあるいは合成樹脂からなるくさび状の間隔保持具を嵌着し、スリットを挟んで対向する側溝用ブロック上壁端部同士が衝突することによるスリットの欠け防止をはかること及びスリットの内側方向に荷重がかかることにより底壁側にひびあるいは亀裂が入るのを防止し、もって側溝用ブロックの側壁等の厚みを薄肉にすることが提案されていた。
【０００５】
しかしながら、合成ゴムあるいは合成樹脂からなる間隔保持具はコンクリート上壁の内側にかかる押圧力によりかみ切られた状態となってしまい、これによりスリット方向に向かって側溝用ブロックの両側壁に圧力がかかり、ひいては底壁あるいは両側壁下端にひびあるいは亀裂が入ってしまうことがあった。
【０００６】
そこで、本考案者らはすでに特願２００１−２３７５３６号を出願し、課題の解決を図っている。
【０００７】
ところで、近年の前記側溝用ブロックを用いた車道等道路敷設に際しては、車道の表面側から数十センチまでの深さの第１層を排水性の優れた材質のアスファルト材料で舗装し、例えば車道に大量に降水したときなど、この第１層にも浸透させ、浸透した雨水をいわゆる集水パイプなどで集水して前記スリット付き側溝用ブロックの中空部に排水するシステムが採用されている。
【０００８】
しかし、このような構造の道路敷設においても、当該スリット付き側溝用ブロックを突き合わせて接続し、長手方向へ向かって上り勾配あるいは下り勾配を有しての道路敷設の場合には、前記第１層に浸透した雨水のほとんどが下り勾配側に流れてしまうとの課題があった。
【０００９】
かくして、本考案は前記従来の課題に対処すべく創案されたものであり、前記スリット付き側溝用ブロックを突き合わせて接続し、長手方向へ向かって上り勾配あるいは下り勾配を有しての道路敷設の場合あるいは勾配のない平坦な道路敷設の場合においても、前記第１層に浸透した雨水のほとんどが特定のスリット付き側溝用ブロックに向かって流れてしまわない様、全てのスリット付き側溝用ブロックに浸透水導入溝を設け、該浸透水導入溝の出口部分を切り欠き溝と合流連通させて、スムーズな浸透水の排水が達成でき、しかもブロック一側面側に設けた浸透水導入溝の開口には網目状部材で覆うことにより、浸透水以外の砂礫等が排水溝となるブロックの中空部に入り込むことのないスリット付き側溝用ブロックを安価なコストで提供することを目的とするものである。
【課題を解決するための手段】
本考案によるスリット付き側溝用ブロックは、
略立方体柱状をなし、軸心方向には軸心方向に貫通した中空部が設けられ、該中空部と外部とを連通するスリットが上面部に軸心方向へ向かって直線状に設けられたスリット付き側溝用ブロックであって、
前記スリットは前記上面部の幅方向いずれかの位置に設けられ、
スリット付き側溝用ブロックの長手方向両端面と幅方向一側面上部位置との隅角部近傍位置には、前記幅方向一側面上部位置から隅角部を切り欠いて長手方向両端面に向かい前記中空部に連通する切り欠き溝が各々設けられ、
かつ、前記切り欠き溝が設けられた前記一側面には前記両端に設けられた切り欠き溝と連通する浸透水導入溝が前記一側面に開口を有して形成されると共に、前記開口は網目状部材で覆われてなり、
前記スリット付き側溝用ブロックを突き合わせ、長手方向に向かって接続し敷設した際、地中に浸透した浸透水が前記網目状部材を通過して前記浸透水導入溝から前記中空部内に導入可能とされたことを特徴とし、
または、
略立方体柱状をなし、軸心方向には軸心方向に貫通した中空部が設けられ、該中空部と外部とを連通するスリットが上面部に軸心方向へ向かって直線状に設けられたスリット付き側溝用ブロックであって、
前記スリットは前記上面部の幅方向いずれかの位置に設けられ、スリットの長さ方向両端側には前記スリットを塞いで連結する間隔保持部材兼導入溝条が各々設けられ、
該スリット付き側溝用ブロックの長手方向両端面と幅方向一側面上部位置との隅角部近傍位置には、前記幅方向一側面上部位置から隅角部を切り欠いて長手方向両端面に向かい前記中空部に連通する切り欠き溝が各々設けられ、
かつ、前記切り欠き溝が設けられた前記一側面には前記両端に設けられた切り欠き溝と連通する浸透水導入溝が一側面の長手方向全長に亘り開口を有して形成されると共に、前記開口は網目状部材で覆われ、前記一側面に設けられた切り欠き溝と浸透水導入溝との連通部には浸透水合流調整溝として略方形状に切り欠かれて形成され、該浸透水合流調整溝の開口をも網目部材で覆われてなり、
前記スリット付き側溝用ブロックを突き合わせ、長手方向に向かって接続し敷設した際、地中に浸透した浸透水が前記網目状部材を通過し、前記浸透水導入溝から前記中空部内に導入可能とされたことを特徴とするものである。
【考案の実施の形態】
以下、図に基づいて本考案に係るスリット付き側溝用ブロックの一実施の態様について説明する。
【００１０】
本考案による側溝用ブロック１はその上面部にスリット３が設けられた側溝用ブロック１であり、該スリット付き側溝１は、略立方体のほぼ角柱状をなして形成されている。
【００１１】
そして、その軸心方向には例えば縦長楕円状の中空部２が設けられている。さらに、この中空部２と外部とを連通させるスリット３が上面部、すなわち上壁１１において軸心方向へ向かって直線状に延出して設けられていると共に、スリット３は前記上壁１１の幅方向中央位置に設けられている。しかし、このスリット３の位置は中央位置に限定されず、幅方向のいずれの位置でも構わないものである。
【００１２】
さらに、この上壁１１の外表面は幅方向両端部から前記スリット３に向かって各々下り勾配の傾斜面として形成されており、雨水等がこの傾斜面に沿ってスムーズにスリット３内に導入されるよう構成されている。
【００１３】
ところで、一般に側溝用ブロックにおけるスリットは、前記上壁１１を幅方向中間位置から完全に分断するよう設けられているが、そのようなスリット付き側溝用ブロックでも構わないし（図２参照）、またそのようなスリット付き側溝用ブロックでなくとも構わない。
【００１４】
例えば外観上スリット３が連続して１本線のように見せつつスリット３の長さ方向両端部では当該スリット３を塞いだタイプでもかまわない（図１参照）。
【００１５】
すなわち、スリット３の長さ方向両端部では所定の間隔でスリット３を塞いであるのである。
【００１６】
例えば、スリット３の長さ方向両端側には導入溝条２０，２０を設け、その導入溝条２０を形成する底面がスリット３で分断された上壁１１，１１を連結するのである。よってこの底面が従来の間隔保持具の機能を果たすものとされている。
【００１７】
さらに、この底面はスリット３の長さ方向中央部に向かって各々下り勾配の傾斜底面としても構わない。
【００１８】
傾斜底面とすれば導入溝条２０内に溜まった雨水等がこの傾斜底面に沿ってスムーズにスリット３を通過し中空部２内に流入することになるからである。
【００１９】
また、導入溝条２０の断面形状は略凹状をなすものでも構わないし、略Ｕ字状をなすものでも構わない。
【００２０】
いずれにせよ、当該スリット付き側溝用ブロック１が敷設されたとき、流入された雨水等は、当該スリット付き側溝１のスリット３の両端部にある導入溝条２０，２０に流れ込み、この導入溝条２０，２０の傾斜底面をスムーズに通過して、スリット３から中空部２内に導入されるものとなる。
【００２１】
尚、スリット付き側溝用ブロック１を下り勾配を有する箇所に敷設する場合には、前記導入溝条２０の底面を傾斜底面として形成しなくとも、側溝自体が下り傾斜を有して敷設されているため、当該スリット付き側溝用ブロック１が敷設されたとき、流入された雨水等は、当該スリット付き側溝１のスリット３の両端部にある導入溝条２０，２０に流れ込み、この導入溝条２０，２０の底面をスムーズに通過して、スリット３から中空部２内に導入されるものとなる。
【００２２】
次に、図から理解されるように、当該スリット付き側溝用ブロック１の長手方向両端面と幅方向一側面上部位置との隅角部近傍位置には、前記幅方向一側面上部位置から隅角部を切り欠いて長手方向両端面に向かい前記中空部に連通する切り欠き溝４，４が各々設けられている。
【００２３】
しかして、この切り欠き溝４の形成については何ら限定されるものではないが、通常スリット付き側溝用ブロック１の製造用型枠に前記切り欠き溝４用の内型枠部材を取り付け、コンクリート固化後に脱型して取り出すときにはすでに切り欠き溝４が形成されているとの製造方法が一般的である。
【００２４】
次に、前記切り欠き溝４，４が設けられた側溝用ブロック１の前記一側面側には両端に設けられた切り欠き溝４，４と連通する浸透水導入溝５が一側面に開口を有して形成されている。該浸透水導入溝５の形状については何ら限定されるものではないが、前記一側面側には開口６が前記一側面の全長に亘って形成されいることが好ましい。該開口６が側溝用ブロック１の敷設後、浸透水導入用の入り口となるためだからである。
【００２５】
そして、該浸透水導入溝５の開口６には網目状部材７で覆っておくものとする。また、前記一側面に設けられた切り欠き溝４，４と浸透水導入溝５との連通部には浸透水合流調整溝８として略長方形状に切り欠かれて形成されおり、該浸透水合流調整溝８の長方形状開口９も網目が前記網目部状部材７より網目が粗とされた網目状部材１０目部材で覆っておくものとする。
【００２６】
しかして、前記スリット付き側溝用ブロック１を突き合わせ、長手方向に向かって接続し敷設した際には、地中に浸透した浸透水が前記網目状部材７，１０を通過し、前記浸透水導入溝５から前記中空部２内にスムーズに導入されることとなる。
【００２７】
そして、地中の砂礫等は網目状部材７，１０に阻まれて浸透水導入溝５あるいは中空部２内には侵入しない。
【００２８】
ここで、敷設に際しては、前記製造されたスリット付き側溝用ブロック１，１を突き合わせ、接続して使用する。
【００２９】
すると、突き合わせて接続した箇所には図から理解されるように、前記切り欠き溝４，４も突き合わされて接続面を境に左右対称となる大きな切り欠き溝が形成される。
【００３０】
よって、長手方向に向かって下り勾配あるいは下り勾配を有して敷設したとしても、また平坦な状態で敷設したとしても同じ形状からなるスリット付き側溝用ブロック１を使用できる。
【００３１】
これにより、道路に降った雨水は例えば車道の第１層内に浸透し、前記浸透水導入溝５の網目部材７で覆われた開口６を通過してスリット付き側溝用ブロック１の中空部２内にスムーズに流れ込むものとなる。
【００３２】
そして、浸透水以外の砂礫等は前記網目状部材７，１０に阻まれて浸透水導入溝５や中空部２内に侵入することがない。
【考案の効果】
かくして本考案は以上の構成よりなる。
【００３３】
そして、本考案によるスリット付き側溝用ブロックであれば、例えば車道の第１層に浸透した雨水のほとんどが特定のスリット付き側溝用ブロックに向かって流れてしまわない様、全てのスリット付き側溝用ブロックの一側面側全長に亘り浸透水導入溝が設けられ、該浸透水導入溝の出口部分が切り欠き溝内に連通しており、もってスムーズな浸透水の排水が達成できる。
【００３４】
しかもブロック一側面側に設けた浸透水導入溝の開口には網目状部材で覆うことにより、浸透水以外の砂礫等が排水溝となる側溝用ブロックの中空部に入り込むことがない。
【００３５】
しかも安価な製造コストで優れた効果を奏するスリット付き側溝用ブロックを提供出来る。
【図面の簡単な説明】
【図１】本考案によるスリット付き側溝用ブロックの構成を説明する構成説明図（その１）である。
【図２】本考案によるスリット付き側溝用ブロックの構成を説明する構成説明図（その２）である。
【図３】本考案によるスリット付き側溝用ブロック接続した構成を説明する構成説明図である。
【符号の説明】
１　　スリット付き側溝用ブロック
２　　中空部
３　　スリット
４　　切り欠き溝
５　　浸透水導入溝
６　　開口
７　　網目状部材
８　　浸透水合流調整溝
９　　長方形状開口
１０　　網目状部材
１１　　上壁
２０　　導入溝条
【図１】
0003098640.tif 000003
【図２】
0003098640.tif 000004
【図３】
0003098640.tif 000005